(57)【要約】【課題】飲料注出時にカップやその周囲を汚すことのない液体注出ノズルおよびこれを備えたカップ式自動販売機を提供する。【解決手段】飲料などの液体を、カップＣの内側に向けて前傾姿勢に配置した円筒状に形成されたノズル本体４１に設けた吐出口４２からカップＣに注出する液体注出ノズル４０において、吐出口４２側のノズル本体４１上面に、その内部に形成されている液体通路４１ａに貫通するカット部４１ｂを設けたことにより、吐出口４２での表面張力による空気の膨らみを抑制することができ、空気の破裂による飲料の飛散を抑制し、カップＣおよびベンドステージ２周辺を汚すことを防止することができる。【選択図】図２
2013246643.tif 000002
【特許請求の範囲】
【請求項１】
飲料などの液体を、カップの内側に向けて前傾姿勢に配置した円筒状に形成されたノズル本体に設けた吐出口から該カップに注出する液体注出ノズルにおいて、
前記吐出口側のノズル本体上面に、その内部に形成されている液体通路に貫通するカット部を設けたことを特徴とする液体注出ノズル。
【請求項２】
前記円筒状に形成されたノズル本体を通流する液体に混入している空気は、前記カット部を通過して前記吐出口から該カップに注出される際の膨張が抑制されることを特徴とする請求項１に記載の液体注出ノズル。
【請求項３】
液体注出ノズルのノズル本体に設けた吐出口から飲料などの液体をカップに注出して販売するカップ式自動販売機において、
前記吐出口側のノズル本体上面に、その内部に形成されている液体通路に貫通するカット部を設けた液体注出ノズルを備えたことを特徴とするカップ式自動販売機。
【発明の詳細な説明】
【技術分野】
【０００１】
本発明は、機内で調製した飲料などの液体をカップに注出する液体注出ノズル、および、液体注出ノズルを備えたカップ式自動販売機に関する。
【背景技術】
【０００２】
一般に、カップ式自動販売機では、販売時に、商品取出口のベンドステージに載置されたカップに、コーヒーやジュースなどの飲料が注がれて、購入者に提供される。カップに注がれる飲料は、コーヒーブリュア、ミキシングボウル、シロップコンテナおよび水リザーバなどからそれぞれ延びる供給回路を介して、カップの付近まで送られる。そして、このカップの付近まで送られた飲料は、各供給回路の先端部に接続された液体注出ノズルから吐出され、カップに注がれる。このような液体注出ノズルとして、従来、例えば特許文献１に開示されたものが知られている。
【０００３】
この液体注出ノズルは、長さ方向の全体にわたって内径が一定の円筒状に形成された液体（飲料）通路が形成され、一端にコーヒーブリュア、ミキシングボウル、シロップコンテナおよび水リザーバなどからそれぞれ延びる各供給回路の先端部が接続され、他端に液体（飲料）の吐出口が開口している。
【先行技術文献】
【特許文献】
【０００４】
【特許文献１】特開２００７−１４１１４７号公報（図３）
【発明の概要】
【発明が解決しようとする課題】
【０００５】
しかしながら、図６で示すように、飲料に混入した空気が液体注出ノズル６０の円筒状に形成されたノズル本体６１内部に形成されている液体通路６１ａを通過し、吐出口６２から吐出するとき、吐出口６２の開口部で表面張力により膨らみ、破裂すると、飲料が飛散し、飛び散った飲料がカップＣおよびベンドステージ２の周辺を汚すという問題があった。
【０００６】
本発明は、上記実情に鑑みて、飲料注出時にカップやその周囲を汚すことのない液体注出ノズルおよびこれを備えたカップ式自動販売機を提供することを目的とする。
【課題を解決するための手段】
【０００７】
上記の目的を達成するために、本発明の請求項１に係る液体注出ノズルは、飲料などの液体を、カップの内側に向けて前傾姿勢に配置した円筒状に形成されたノズル本体に設けた吐出口から該カップに注出する液体注出ノズルにおいて、
前記吐出口側のノズル本体上面に、その内部に形成されている液体通路に貫通するカット部を設けたことを特徴とする。
【０００８】
また、本発明の請求項２に係る液体注出ノズルは、上述した請求項１において、前記円筒状に形成されたノズル本体を通流する液体に混入している空気は、前記カット部を通過して前記吐出口から該カップに注出される際の膨張が抑制されることを特徴とする。
【０００９】
また、本発明の請求項３に係るカップ式自動販売機は、液体注出ノズルのノズル本体に設けた吐出口から飲料などの液体をカップに注出して販売するカップ式自動販売機において、
前記吐出口側のノズル本体上面に、その内部に形成されている液体通路に貫通するカット部を設けた液体注出ノズルを備えたことを特徴とする。
【発明の効果】
【００１０】
請求項１の発明によれば、飲料などの液体を、カップの内側に向けて前傾姿勢に配置した円筒状に形成されたノズル本体に設けた吐出口から該カップに注出する液体注出ノズルにおいて、前記吐出口側のノズル本体上面に、その内部に形成されている液体通路に貫通するカット部を設けたことにより、ノズル本体に設けた吐出口より手前側のカット部で液体に混入している空気を液体と置換させ、吐出口での表面張力による空気の膨らみを抑制することができるので、空気の破裂による飲料の飛散を抑制し、カップおよびベンドステージ周辺を汚すことを防止することができ、飲料注出時にカップやその周囲を汚すことのない液体注出ノズルを提供することが可能となる。
【００１１】
また、請求項２の発明によれば、前記円筒状に形成されたノズル本体を通流する液体に混入している空気は、前記カット部を通過して前記吐出口から該カップに注出される際の膨張が抑制されることにより、カップおよびベンドステージ周辺を汚すことを防止することができるので、飲料注出時にカップやその周囲を汚すことのない液体注出ノズルを提供することができる。
【００１２】
また、請求項３の発明によれば、液体注出ノズルのノズル本体に設けた吐出口から飲料などの液体をカップに注出して販売するカップ式自動販売機において、前記吐出口側のノズル本体上面に、その内部に形成されている液体通路に貫通するカット部を設けた液体注出ノズルを備えたことにより、ノズル本体に設けた吐出口より手前側のカット部で液体に混入している空気を液体と置換させ、吐出口での表面張力による空気の膨らみを抑制することができるので、空気の破裂による飲料の飛散を抑制し、カップおよびベンドステージ周辺を汚すことを防止することができ、飲料注出時にカップやその周囲を汚すことのない液体注出ノズルを備えたカップ式自動販売機を提供することが可能となる。
【図面の簡単な説明】
【００１３】
【図１】本発明の実施形態に係る液体注出ノズルを備えたカップ式自動販売機の液体回路図である。
【図２】本発明の実施形態に係る液体注出ノズルを備えたカップ式自動販売機の側面図である。
【図３】図２に示した液体注出ノズルを備えたカップ式自動販売機の断面側面図である。
【図４】本発明の実施形態に係る液体注出ノズルの注出先端部の拡大図を示し、（ａ）は側面図、（ｂ）は正面図である。
【図５】図２に示した液体注出ノズルの液体（飲料）の注出状態を示す断面側面図である。
【図６】従来の液体注出ノズルの液体（飲料）の注出状態を示す断面側面図である。
【発明を実施するための形態】
【００１４】
以下、図面を参照しながら、本発明の好ましい実施形態を詳細に説明する。なお、この実施形態によりこの発明が限定されるものではない。また、従来と同一構成に関しては同一符号を用いる。
【００１５】
この実施の形態の液体注出ノズル、および、液体注出ノズルを備えたカップ式自動販売機は、機内で調製した飲料や希釈水などの液体をカップに注出するものである。ここでは、カップ式自動販売機に備えられる液体注出ノズルを例に説明するが、カップ式自動販売機に備えられる液体注出ノズルに限られるものではなく、飲料ディスペンサ（飲料供給装置）に備えられる液体注出ノズルに適用することも可能である。
【００１６】
図１は、本発明の実施の形態である液体注出ノズルを備えたカップ式自動販売機１の液体回路構成を示す概念図である。
【００１７】
希釈液供給回路１０は、製氷機２８、カーボネータ１９や温水タンク３０などに水を供給するためのもので、水リザーバ１１、水ポンプ１２、給水弁１３を有している。給水弁１３を開放すると水道水が水リザーバ１１に貯えられ、水ポンプ１２を駆動することによって冷水回路１４または温水回路１５に水が圧送される。冷水回路１４に送られた水は、冷却水槽１６に貯留している冷却水に浸漬した水冷却コイル１７を通流することにより冷却される。
【００１８】
水冷却コイル１７には給水弁１８と冷水管路２０とが接続してあり、給水弁１８にはカップＣに炭酸水を供給するカーボネータ１９が接続され、水ポンプ１２を駆動して給水弁１８を開放するとカーボネータ１９に冷水が供給される。
【００１９】
カーボネータ１９は、冷却水槽１６に浸漬してあり、炭酸ガスボンベ２２から供給された炭酸ガスが冷水に溶解して炭酸水となる。また、カーボネータ１９には、炭酸水弁２３を介して液体注出ノズル４０が接続してあり、炭酸水弁２３を開放すると、炭酸ガスボンベ２２から供給される炭酸ガスの圧力でカーボネータ１９から押し出された炭酸水が液体注出ノズル４０からカップＣに注出される。
【００２０】
冷水管路２０には、冷水弁２１を介して液体注出ノズル４０が接続してあり、コールド飲料注出時（販売時）には水ポンプ１２を駆動して冷水弁２１を開放すると、液体注出ノズル４０からカップＣに冷水を注出する。
【００２１】
また、冷却水槽１６には、複数のシロップ冷却コイル２４が浸漬してあり、シロップ飲料の原液となる各種のシロップがそれぞれ貯蔵してある複数のシロップコンテナ２５がシロップ売切装置２６を介して接続してある。各シロップコンテナ２５は、それぞれ、炭酸ガスボンベ２２から炭酸ガスが供給され、シロップ弁２７を介して液体注出ノズル４０が接続してある。そして、シロップ弁２７を開放すると、シロップコンテナ２５に貯蔵してあるシロップが炭酸ガスボンベ２２から供給される炭酸ガスの圧力で押し出され、シロップ売切装置２６からシロップ冷却コイル２４を通流したシロップは冷却されて、液体注出ノズル４０からカップＣに注出される。
【００２２】
製氷機２８は、製氷部と貯氷庫とを有していて、水リザーバ１１から供給された水を製氷部で製氷して貯氷庫で貯蔵し、アイス飲料を販売するときに貯氷庫に貯蔵している氷をアイスダクト（図示せず）からカップＣに供給する。
【００２３】
給水弁２９を介して温水回路１５に供給された水は、温水タンク３０に貯えられ、温水タンク３０内のヒータ（図示せず）で加熱されて湯になる。温水タンク３０には、複数の湯弁３１が設けてある。各湯弁３１は、湯管路３２によってミキシングボウル３３、３８またはコーヒーブリュア３７に接続してあり、湯弁３１を開放することにより、湯管路３２を通って、ミキシングボウル３３、３８またはコーヒーブリュア３７に湯が供給される。
【００２４】
ミキシングボウル３３は、パウダキャニスタ３４から供給された粉末原料と、温水タンク３０から供給された湯とを攪拌してホット飲料とした後に、液体注出ノズル４０からカップＣに注出する。
【００２５】
コーヒーブリュア３７は、コーヒー豆キャニスタ３５から供給されたコーヒー豆をミル３６で挽いたコーヒー挽き豆に温水タンク３０から供給された湯を注ぐことによりコーヒー液を抽出し、抽出滓は滓バケツ３に廃棄される。また、ミキシングボウル３８が接続してあり、砂糖、クリームなどの粉末原料を貯蔵するパウダキャニスタ３９から供給された粉末原料とコーヒー液とを攪拌したコーヒー飲料を液体注出ノズル４０からカップＣに注出する。
【００２６】
以上説明したカップ式自動販売機１において、ベンドステージ２に載置したカップＣにコーヒー飲料を注出するには、コーヒー豆キャニスタ３５から供給されたコーヒー豆をミル３６で挽いたコーヒー挽き豆をコーヒーブリュア３７に供給する一方、湯弁３１を開放して温水タンク３０に貯えている湯を湯管路３２から供給する。そして、コーヒー挽き豆と湯の混合体からコーヒー液を抽出し、ミキシングボウル３８にコーヒー液を供給する。ミキシングボウル３８では、パウダキャニスタ３９から供給される砂糖、クリームなどの粉末原料とコーヒー液とを攪拌混合した後、液体注出ノズル４０からカップＣにコーヒー飲料を注出する。
【００２７】
また、アイス飲料、例えば炭酸飲料を供給するには、液体注出ノズル４０から濃縮シロップと炭酸水をカップに注出し、さらに氷を供給してカップ内でこれらを攪拌して炭酸飲料とする。
【００２８】
図２は、液体注出ノズル４０を備えたカップ式自動販売機１の内部構造を模式的に示している側面図、図３は、その断面側面図である。また、図４は、液体注出ノズル４０の注出先端部の拡大図を示し、（ａ）は側面図、（ｂ）は正面図である。カップ式自動販売機１は、カップ供給装置（図示せず）から供給されたカップＣを載置するベンドステージ２を備え、その上方には機内で調製したコーヒー飲料やシロップを希釈する冷水、炭酸水などの液体を、カップＣの内側に向けて前傾姿勢に配置した円筒状に形成されたノズル本体４１に設けた吐出口４２からカップＣに注出する液体注出ノズル４０がノズル装着部５０でノズル取り付け部（図示せず）に取り付けられる。
【００２９】
液体注出ノズル４０は、ミキシングボウル３３、３８などに連通されている液体チューブ（図示せず）が一端に接続されるノズル本体４１の他端に開口した吐出口４２側のノズル本体４１上面に、その内部に形成されている液体通路４１ａに貫通するカット部４１ｂを設けている。
【００３０】
カット部４１ｂのカット寸法ｋは、液体通路４１ａの径ｄ（例えば、４．５ｍｍ）の３０％〜５０％となるように設けられ、液体通路４１ａの径ｄが４．５ｍｍの場合、カット部４１ｂのカット寸法ｋは、例えば、２．２５ｍｍとしている。また、カット部４１ｂのカット長さ寸法Ｌは、液体通路４１ａの径ｄ（例えば、４．５ｍｍ）の２００％〜４００％となるように設けられ、液体通路４１ａの径ｄが４．５ｍｍの場合、カット部４１ｂのカット長さ寸法Ｌは、例えば、１５ｍｍとしている。
【００３１】
カット部４１ｂのカット寸法ｋを、液体通路４１ａの径ｄの３０％〜５０％とし、カット部４１ｂのカット長さ寸法Ｌを、液体通路４１ａの径ｄの２００％〜４００％とすることにより、液体注出ノズル４０から飲料などの液体をカップＣに注出する時、ノズル本体４１に設けた吐出口４２より手前側のカット部４１ｂで液体（飲料）に混入した空気を液体（飲料）と置換させることにより、吐出口４２での表面張力による空気の膨らみを抑制することができ、空気の破裂による飲料の飛散を抑制し、カップＣおよびベンドステージ２周辺を汚すことを防止することができる。
【００３２】
また、吐出口４２の外径４２ｂの下部に、吐出口４２の外径４２ｂとは隙間４４を有し、吐出口４２から注出される液体の注出方向とは相反する方向に向けて下向き傾斜させた底面４５を有する液体ガイド４３を設けている。この液体ガイド４３の注出方向の先端部４６は、吐出口４２下端の先端部４２ａより突き出るように設けている。また、液体ガイド４３の底面４５には液体誘導溝４７を設け、側面４８下部には液体誘導溝４９を設けている。
【００３３】
このように、コーヒー飲料などの液体を、カップＣの内側に向けて前傾姿勢に配置した円筒状に形成されたノズル本体４１に設けた吐出口４２からカップＣに注出する液体注出ノズル４０の、吐出口４２側のノズル本体４１上面に、その内部に形成されている液体通路４１ａに貫通するカット部４１ｂを設けているので、液体注出ノズル４０から飲料などの液体をカップＣに注出する時は、図５に示しているように、ノズル本体４１に設けた吐出口４２より手前側のカット部４１ｂで液体（飲料）に混入した空気を液体（飲料）と置換させることにより、吐出口４２での表面張力による空気の膨らみを抑制することができ、空気の破裂による飲料の飛散を抑制し、カップＣおよびベンドステージ２周辺を汚すことを防止することができる。
【００３４】
以上説明したように本発明によれば、飲料などの液体を、カップＣの内側に向けて前傾姿勢に配置した円筒状に形成されたノズル本体４１に設けた吐出口４２からカップＣに注出する液体注出ノズル４０において、吐出口４２側のノズル本体４１上面に、その内部に形成されている液体通路４１ａに貫通するカット部４１ｂを設けたことにより、ノズル本体４１に設けた吐出口４２より手前側のカット部４１ｂで液体に混入した空気を液体と置換させ、吐出口４２での表面張力による空気の膨らみを抑制することができるので、空気の破裂による飲料の飛散を抑制し、カップＣおよびベンドステージ２周辺を汚すことを防止することができ、飲料注出時にカップＣやその周囲を汚すことのない液体注出ノズル４０を提供することが可能となる。
【００３５】
また、円筒状に形成されたノズル本体４１を通流する液体に混入している空気は、カット部４１ａを通過して吐出口４２からカップＣに注出される際の膨張が抑制されることにより、カップＣおよびベンドステージ２周辺を汚すことを防止することができるので、飲料注出時にカップＣやその周囲を汚すことのない液体注出ノズル４０を提供することができる。
【００３６】
また、液体注出ノズル４０のノズル本体４１に設けた吐出口４２から飲料などの液体をカップＣに注出して販売するカップ式自動販売機１において、吐出口４２側のノズル本体４１上面に、その内部に形成されている液体通路４１ａに貫通するカット部４１ｂを設けた液体注出ノズル４０を備えたことにより、ノズル本体４１に設けた吐出口４２より手前側のカット部４１ｂで液体に混入した空気を液体と置換させ、吐出口４２での表面張力による空気の膨らみを抑制することができるので、空気の破裂による飲料の飛散を抑制し、カップＣおよびベンドステージ２周辺を汚すことを防止することができ、飲料注出時にカップＣやその周囲を汚すことのない液体注出ノズル４０を備えたカップ式自動販売機１を提供することが可能となる。
【符号の説明】
【００３７】
１      カップ式自動販売機
４０      液体注出ノズル
４１      ノズル本体
４１ａ    液体通路
４１ｂ    カット部
４２      吐出口
４２ａ    先端部
４２ｂ    外径
４３      液体ガイド
４４      隙間
４５      底面
４６      先端部
４７      液体誘導溝
４８      側面
４９      液体誘導溝
Ｃ        カップ
【図１】
2013246643.tif 000003
【図２】
2013246643.tif 000004
【図３】
2013246643.tif 000005
【図４】
2013246643.tif 000006
【図５】
2013246643.tif 000007
【図６】
2013246643.tif 000008